(57)【要約】【課題】連続分析のためのバッチテーブルに設定する、分析対象であるバイアル（サンプル）の指定を簡便に、且つ高い自由度で以て行えるようにする。【解決手段】バッチテーブル設定画面１００上に、サンプル範囲指定方法選択ボタン１２０、分析方向選択ボタン１２１、プレート画像表示部１２５などを配置し、サンプル範囲指定方法と分析方向の選択は単なるボタンのクリック操作で行う。また、分析の開始位置と終了位置の指定は、プレート画像表示部１２５に表示されたプレート画像上でのマウスによるドラッグ＆ドロップ操作で行う。また、ドラッグ＆ドロップ操作の過程で選択中のバイアルは他と識別可能な色で表示される。これにより、簡便であるグラフィカルな操作によって、サンプルプレートに載置される複数のバイアルを所望の順序で分析対象として設定したバッチテーブルを作成することができる。【選択図】図２
2015190801.tif 000002
【特許請求の範囲】
【請求項１】
縦横の２次元方向に複数のサンプルが載置可能であるサンプルプレート上に予め用意されたサンプルを順次一つずつ選択して該サンプルの少なくとも一部を採取するオートサンプラと、その採取されたサンプルに対する分析を実行する分析装置と、を具備する自動分析装置の動作を制御する自動分析装置用制御装置であって、
a)分析に使用されるサンプルプレートの形状及び該サンプルプレート上のサンプル載置可能位置を示すプレート画像を表示部の画面上に表示する表示処理部と、
b)サンプルプレート上で連続分析の対象であるサンプルが載置された分析対象範囲を分析者が指定するための指定方法として、少なくとも１次元指定型と２次元指定型とを分析者が選択するための第１の選択部と、
c)連続分析の際のサンプルプレート上での分析方向を、複数の選択肢から分析者が選択するための第２の選択部と、
d)前記表示部の画面上に表示された前記プレート画像上で分析者により為されたポインティングデバイスを用いた第１の操作に対応して、サンプルプレート上で連続分析を開始するサンプルの位置を認識するとともに、前記プレート画像上で分析者により為されたポインティングデバイスを用いた第２の操作に対応して、サンプルプレート上で連続分析を終了するサンプルの位置を認識する開始終了位置認識部と、
e)前記第１の選択部により選択された分析対象範囲指定方法、前記第２の選択部により選択された分析方向、並びに、前記開始終了位置認識部により認識された分析開始位置及び分析終了位置に基づいて、連続分析するサンプルの数を計算するサンプル数計算部と、
f)連続分析を実施する際の制御情報が記述されたバッチテーブルを作成するものであって、前記第１の選択部により選択された分析対象範囲指定方法、前記第２の選択部により選択された分析方向、前記開始終了位置認識部により認識された開始位置及び終了位置、並びに、前記サンプル数計算部により計算されたサンプル数に基づいて、連続分析における各分析で分析対象とするサンプルの、サンプルプレート上での載置位置に対応した番号をそれぞれ割り出し、バッチテーブルの各行にその番号を設定するバッチテーブル作成部と、
を備えることを特徴とする自動分析装置用制御装置。
【請求項２】
請求項１に記載の自動分析装置用制御装置であって、
前記表示処理部は、開始位置及び終了位置の指定のために前記プレート画像上で前記ポインティングデバイスを用いた第１の操作がなされてから、該ポインティングデバイスが移動される間、その最新の指示位置に基づいて選択中であるサンプルの範囲を繰り返し計算し、その計算により求まった選択中のサンプルがそれ以外のサンプルと視覚的に識別可能であるように前記プレート画像を描出することを特徴とする自動分析装置用制御装置。
【請求項３】
請求項１又は２に記載の自動分析装置用制御装置であって、
前記表示処理部は、すでに作成されているバッチテーブルに設定済みであるサンプルと、該バッチテーブルに未設定であるサンプルと、開始位置及び終了位置の指定のために選択中であるサンプルとが、視覚的に識別可能であるように前記プレート画像を描出することを特徴とする自動分析装置用制御装置。
【請求項４】
請求項１〜３のいずれかに記載の自動分析装置用制御装置であって、
各サンプルに対するサンプル情報として少なくとも標準試料と未知試料とが選択肢として用意され、それら選択肢から分析者が選択するための第３の選択部をさらに備え、
前記表示処理部は、前記第３の選択部を用いてすでに設定された又は該第３の選択部を用いて設定されようとしているサンプル情報に基づいて、少なくとも標準試料と未知試料とが視覚的に識別可能であるように前記プレート画像を描出することを特徴とする自動分析装置用制御装置。
【請求項５】
請求項１〜４のいずれかに記載の自動分析装置用制御装置であって、
前記開始終了位置認識部は、前記プレート画像上で前記ポインティングデバイスを用いた第１の操作がなされてから、該ポインティングデバイスが移動される間、前記第２の選択部により選択された分析方向に応じて許可され得る範囲以外の位置に該ポインティングデバイスによる指示位置があるときには、分析者によるポインティングデバイスを用いた前記第２の操作を無効扱いとすることを特徴とする自動分析装置用制御装置。
【請求項６】
請求項１〜５のいずれかに記載の自動分析装置用制御装置であって、
前記第２の選択部による分析方向の選択に係る操作と、前記開始終了位置認識部による開始位置及び終了位置の指定に係る操作とは、その操作の順番が入れ替え可能であることを特徴とする自動分析装置用制御装置。
【請求項７】
請求項１〜６のいずれかに記載の自動分析装置用制御装置であって、
所定の操作に応じて、不連続なサンプル載置位置を設定可能であることを特徴とする自動分析装置用制御装置。
【請求項８】
請求項１〜７のいずれかに記載の自動分析装置用制御装置であって、
前記オートサンプラは複数のサンプルプレートの装填が可能であり、
連続分析に使用するサンプルプレートのタイプを分析者が選択するための第４の選択部と、
複数のサンプルプレートがオートサンプラに装填された場合に、その複数のサンプルプレートに割り当てられたサンプルプレート番号により、一つのサンプルプレートを分析者が選択するための第５の選択部と、
をさらに備え、前記表示処理部は、前記第５の選択部により一つのサンプルプレートが選択されたとき、その選択されたサンプルプレートについて前記第４の選択部により選択されたタイプに応じたプレート画像を表示部の画面上に表示することを特徴とする自動分析装置用制御装置。
【請求項９】
請求項８に記載の自動分析装置用制御装置であって、
前記表示処理部は、前記オートサンプラにおける複数のサンプルプレートの位置とサンプルプレート番号との対応関係を表示部の画面上に表示することを特徴とする自動分析装置用制御装置。
【請求項１０】
請求項１〜７のいずれかに記載の自動分析装置用制御装置であって、
前記オートサンプラは複数のサンプルプレートの装填が可能であり、
一つ又は複数のサンプルプレートが前記オートサンプラに装填された場合に、装填されたサンプルプレートの種類及びその装填位置についての情報を該オートサンプラから受け取る情報取得部をさらに備え、前記表示処理部は、該情報取得部により受け取った情報に基づいて、指定されたサンプルプレート番号に対応したプレート画像を表示することを特徴とする自動分析装置用制御装置。
【発明の詳細な説明】
【技術分野】
【０００１】
本発明は、予め用意された多数の試料の中から自動的に試料を選択して採取するオートサンプラと、該オートサンプラで採取された試料を分析する分析装置と、を組み合わせて連続的に分析を実行する自動分析装置を制御する自動分析装置用制御装置に関する。
【背景技術】
【０００２】
液体クロマトグラフ（ＬＣ）やガスクロマトグラフ（ＧＣ）などの各種分析装置により複数の試料に対する連続的な分析を行う場合、予め用意された多数の試料の中から自動的に順次一つずつ試料を選択して分析装置に導入するオートサンプラが一般的に使用されている。試料が液体状である場合、オートサンプラは、試料溶液が収容されたバイアル（試料容器）が多数載置されるサンプルプレート、該サンプルプレートを２次元的に又は３次元的に移動させる移動機構、及び、所定位置においてバイアルから試料溶液を採取するニードルを含む試料採取部、などを備える（特許文献１など参照）。
【０００３】
こうしたオートサンプラを用いて自動連続分析を行う場合、その分析前に分析者は、必要な試料溶液が収容されたバイアルをサンプルプレート上に設置し、オートサンプラに装填する。そして、分析者は、オートサンプラを含めた自動分析装置の動作を制御する制御装置（一般的には専用の制御ソフトウエアが搭載されたパーソナルコンピュータ）において、複数のバイアルの分析順番や各バイアル中の試料を分析する際の分析条件などを指定した上で分析開始を指示する。具体的には、例えば特許文献２に記載されているように、サンプルプレート番号（該文献中ではトレイ番号）、バイアル番号、サンプルタイプ、分析条件が記述されたメソッドファイル名、などの項目について必要事項が記入されたバッチテーブル（分析スケジュールテーブル）を作成し、そのバッチテーブルに従った連続分析の開始を指示する。図１３にバッチテーブルの一例を示す。
【０００４】
このバッチテーブル上のバイアル番号は、サンプルプレート上でバイアル（つまりはサンプル）が置かれた位置を示す番号である。サンプルプレート上のバイアル載置位置には予め番号が振られており、通常、この番号がバイアル番号となる。図１４にサンプルプレートの一例を示す。図１４（ａ）は円筒形状のバイアルに対応したサンプルプレートの一例であり、バイアル番号は１から始まる連番である。また図１４（ｂ）は角筒形状のバイアルに対応したサンプルプレートの一例であり、バイアル番号はＸ方向のアドレスとＹ方向のアドレスの組み合わせ（例えば「Ａ１」、「Ｆ１０」など）である。また、サンプルプレートには、載置可能なバイアル数が相違する幾つかのタイプがある。
【０００５】
バッチテーブル作成時に、分析者は、一つの分析に対応するテーブルの１行毎にそれぞれバイアル番号を設定する必要がある。従来、分析者がバイアル番号を設定するには大きく分けて次の三つの方法がある。
（１）図１３に示したようなバッチテーブルのバイアル番号表示欄中に、分析者が直接テキストで番号を入力する。以下、これを「直接入力法」と称す。
（２）ウィザード形式等の入力補助画面上の所定欄に、サンプルプレート上での分析開始位置やサンプル本数などの必要事項を分析者が入力すると、これがバッチテーブルのバイアル番号に反映される（非特許文献１など参照）。以下、これを「補助画面利用法」と称す。
（３）サンプルプレートの平面図を描出した表示画面上でのマウス等のポインティングデバイスによる操作、などのグラフィカルなユーザーインターフェイスを利用して分析者が必要な情報を入力する。以下、これを「ＧＵＩ利用法」と称す。
【０００６】
ＧＵＩ利用法は分析者が直感的に操作できるという点で他の二つの方法に比べて優れている。そのため、近年、ＧＵＩ利用法がよく使用されるようになってきている。ＧＵＩ利用法では、例えば図１４（ａ）に示したサンプルプレートを用い、若い番号順に飛びなくバイアル番号を指定して分析を実行する等、標準的な順序で分析を行うようにバイアル番号を設定する際には、分析者の操作は簡便であり、その操作も分かり易くなっている。しかしながら、標準的な設定とは異なる特殊な順序で或いは特殊な状況の下で分析を行いたい場合には、操作の手順がかなり煩雑になる。そうした場合の例を以下に挙げる。
【０００７】
＜サンプルプレート上における分析方向が標準的な設定とは異なる場合＞
上述したように、若い番号順に飛びなくバイアル番号を指定して分析を実行する場合、図１４（ａ）に例示したサンプルプレートでは、各バイアルの選択の順序を示す方向、つまり分析方向は、縦方向であり、さらに言えば下から上へ向かう（図１４（ａ）中のＹ方向の）縦一方向である。したがって、図１４（ａ）に例示したサンプルプレートを使用して例えば１５個のサンプルを連続的に分析したい場合には、バイアル番号［１］からバイアル番号［１５］（なお、以下、サンプルプレート上におけるバイアル番号は［＊］で示すこととする）までの位置に目的とするサンプル（バイアル）が載置される。しかしながら、複数本のピペットが横方向に複数本配設されたマルチチャンネルピペットを用いて試料を採取する場合には、バイアル番号［１］、［７］、［１３］、…という順序で、つまり横方向（図１４中のＸ方向）に分析を行う必要がある。このように、標準的な設定とは異なる分析方向で分析を行いたい場合、従来のＧＵＩ利用法では設定が煩雑である。
【０００８】
＜サンプルプレート上の或る２次元的な範囲に含まれるサンプルを分析したい場合＞
サンプルプレート上に載置されたサンプルの温度変化を防止するため、一般に、オートサンプラ内に装填されたサンプルプレートはヒータユニットなどにより温調される。しかしながら、サンプルプレート全体が均一に温調されるとは限らず、サンプルプレートの周辺部は中央部に比べて温度が低くなり易い。そのため、例えばサンプルプレートの最外側のバイアル載置位置にはサンプルを置かないことがある。そうした場合には、サンプルプレート上の所望の２次元的な範囲に含まれるサンプルについて選択的に分析を行いたいが、このような場合にも従来のＧＵＩ利用法では設定が煩雑である。
【０００９】
＜複数のサンプルプレートを搭載可能なオートサンプラを使用する場合＞
オートサンプラの機種によっては、複数のサンプルプレートを搭載し、複数のサンプルプレートに跨った連続分析が可能なものがある。このような場合、バッチテーブルにおいてバイアル番号は例えば、２番目のサンプルプレートのバイアル番号［１］、４番目のサンプルプレートのバイアル番号［１６］などと、サンプルプレートの番号と併せて指定する必要がある。
上述した従来の直接入力法、補助画面利用法、及び一部のＧＵＩ利用法では、バイアル番号を設定する画面や欄とは別に、サンプルプレート番号を設定する画面や欄が設けられており、その画面や欄を利用してサンプルプレート番号を指定できるようになっていることが多い。しかしながら、分析者は直感的にどのサンプルプレートのどのバイアル載置位置が指定されているのかを把握しにくいため、設定に手間取ったり誤った設定を行ったりし易いという問題がある。
【先行技術文献】
【特許文献】
【００１０】
【特許文献１】特開２０１２−１６３３３４号公報
【特許文献２】特開２０１１−１８５８２６号公報
【非特許文献】
【００１１】
【非特許文献１】「UF-Amino Station LC/MS高速アミノ酸分析システム」、株式会社島津製作所、［平成26年2月26日検索］、インターネット＜URL: http://www.an.shimadzu.co.jp/hplc/aplsys/amino/uf-amino2.htm＞
【発明の概要】
【発明が解決しようとする課題】
【００１２】
本発明は上記課題に鑑みて成されたものであり、その主な目的は、連続分析に際してのサンプル（バイアル）の順序の設定について高い自由度を確保することで、分析者の様々な要求に応えながら、その設定のための操作や手順を簡略化して操作性を改善することができる自動分析装置用制御装置を提供することにある。
【課題を解決するための手段】
【００１３】
上記課題を解決するためになされた本発明は、縦横の２次元方向に複数のサンプルが載置可能であるサンプルプレート上に予め用意されたサンプルを順次一つずつ選択して該サンプルの少なくとも一部を採取するオートサンプラと、その採取されたサンプルに対する分析を実行する分析装置と、を具備する自動分析装置の動作を制御する自動分析装置用制御装置であって、
a)分析に使用されるサンプルプレートの形状及び該サンプルプレート上のサンプル載置可能位置を示すプレート画像を表示部の画面上に表示する表示処理部と、
b)サンプルプレート上で連続分析の対象であるサンプルが載置された分析対象範囲を分析者が指定するための指定方法として、少なくとも１次元指定型と２次元指定型とを分析者が選択するための第１の選択部と、
c)連続分析の際のサンプルプレート上での分析方向を、複数の選択肢から分析者が選択するための第２の選択部と、
d)前記表示部の画面上に表示された前記プレート画像上で分析者により為されたポインティングデバイスを用いた第１の操作に対応して、サンプルプレート上で連続分析を開始するサンプルの位置を認識するとともに、前記プレート画像上で分析者により為されたポインティングデバイスを用いた第２の操作に対応して、サンプルプレート上で連続分析を終了するサンプルの位置を認識する開始終了位置認識部と、
e)前記第１の選択部により選択された分析対象範囲指定方法、前記第２の選択部により選択された分析方向、並びに、前記開始終了位置認識部により認識された分析開始位置及び分析終了位置に基づいて、連続分析するサンプルの数を計算するサンプル数計算部と、
f)連続分析を実施する際の制御情報が記述されたバッチテーブルを作成するものであって、前記第１の選択部により選択された分析対象範囲指定方法、前記第２の選択部により選択された分析方向、前記開始終了位置認識部により認識された開始位置及び終了位置、並びに、前記サンプル数計算部により計算されたサンプル数に基づいて、連続分析における各分析で分析対象とするサンプルの、サンプルプレート上での載置位置に対応した番号をそれぞれ割り出し、バッチテーブルの各行にその番号を設定するバッチテーブル作成部と、
を備えることを特徴としている。
【００１４】
本発明に係る自動分析装置用制御装置は、典型的には、操作部や表示部が付設されたパーソナルコンピュータに予め所定の制御ソフトウエアがインストールされた構成とすることができる。
【００１５】
分析装置が例えば液体クロマトグラフであり、分析対象が試料溶液である場合には、上記「サンプル」とは試料溶液が収容された「バイアル」のことである。
【００１６】
本発明に係る自動分析装置用制御装置において、分析者がバッチテーブルを新たに作成したりすでに作成されているバッチテーブルに新たな分析を追加したりする場合、分析者は第１の選択部により、分析対象範囲の指定方法として１次元指定型又は２次元指定型のいずれかを選択する。この「１次元指定型」とは、サンプルプレート上での分析対象領域が開始位置から終了位置まで線状である領域（ただし、縦方向又は横方向の領域端部に達したならば次の行又は列に続く）を指定する選択肢であり、「２次元指定型」とは、サンプルプレート上での分析対象領域が開始位置と終了位置とを対角の頂部とする矩形状の領域を指定する選択肢である。
【００１７】
また分析者は第２の選択部により、サンプルプレート上での分析方向を選択する。分析方向の選択肢としては、少なくとも横方向と縦方向の選択肢があり、例えば横方向であれば、右若しくは左への一方向と、領域端部に達したときに折り返す左右両方向と、の選択肢を設ける等、さらに細かい選択肢を設けてもよい。
なお、上記第１及び第２の選択部は、典型的にはグラフィカルユーザーインターフェイス（ＧＵＩ）の部品である「ボタン」や「ラジオボタン」などを用いたものとすればよい。
【００１８】
さらにまた分析者は、表示部の画面上に表示されたプレート画像上で、マウス等のポインティングデバイスを用いた第１の操作及び第２の操作をそれぞれ行う。例えば第１の操作はマウスボタンの押下げ操作、第２の操作はマウスボタンの押下げ解除操作とすればよい。開始終了位置認識部は、このようなポインティングデバイスを用いた操作が行われた位置に応じて連続分析の開始位置と終了位置を認識する。上述した分析対象範囲の指定方法及び分析方向が決まり、さらにこの開始位置及び終了位置が決まると、連続分析に際してサンプルプレート上で順次選択される全てのサンプルの位置が確定するから、サンプル数計算部は連続分析するサンプルの数を計算する。
【００１９】
バッチテーブル作成部は、それら情報から、連続分析における各分析で分析対象とするサンプルの載置位置を示す番号（例えばバイアル番号）を割り出し、新たに作成するバッチテーブルの各行又はすでにあるバッチテーブルの新たに追加する各行に、その番号を設定する。
以上のようにして本発明に係る自動分析装置用制御装置では、マウス等のポインティングデバイスを用いた簡便な操作によって、様々な順序で以てサンプルプレート上のサンプルを順次選択しつつ分析を行うバッチテーブルを作成することができる。
【００２０】
本発明に係る自動分析装置用制御装置の好ましい実施態様として、上記表示処理部は、開始位置及び終了位置の指定のために上記プレート画像上で上記ポインティングデバイスを用いた第１の操作がなされてから、該ポインティングデバイスが移動される間、その最新の指示位置に基づいて選択中であるサンプルの範囲を繰り返し計算し、その計算により求まった選択中のサンプルがそれ以外のサンプルと視覚的に識別可能であるように上記プレート画像を描出する構成とするとよい。
【００２１】
具体的には例えば、プレート画像上で、選択中のサンプルはそれ以外のサンプルと異なる表示色で描出したり異なる表示記号を用いたりするとよい。この構成によれば、分析者が開始位置と終了位置とを指示する際に、プレート画像上で選択中であるサンプルの範囲を直感的に把握することができるので、選択ミスを防止することができる。
【００２２】
また本発明に係る自動分析装置用制御装置の別の好ましい実施態様として、上記表示処理部は、すでに作成されているバッチテーブルに設定済みであるサンプルと、該バッチテーブルに未設定であるサンプルと、開始位置及び終了位置の指定のために選択中であるサンプルとが、視覚的に識別可能であるように上記プレート画像を描出する構成とするとよい。
【００２３】
この識別についても上述したように異なる表示色や表示記号を用いればよい。この構成によれば、すでに作成済みのバッチテーブルに何らかの分析を追加しようとする場合に、すでにそのバッチテーブル中の或る分析に対して設定したサンプルを重複して指定してしまうような操作ミスを防止することができる。
【００２４】
また本発明に係る自動分析装置用制御装置の別の好ましい実施態様として、
各サンプルに対するサンプル情報として少なくとも標準試料と未知試料とが選択肢として用意され、それら選択肢から分析者が選択するための第３の選択部をさらに備え、
上記表示処理部は、上記第３の選択部を用いてすでに設定された又は該第３の選択部を用いて設定されようとしているサンプル情報に基づいて、少なくとも標準試料と未知試料とが視覚的に識別可能であるように上記プレート画像を描出する構成とするとよい。標準試料は例えば、検量線を作成するために利用される成分濃度が既知である試料である。
【００２５】
この識別についても上述したように異なる表示色や表示記号を用いればよい。この構成によれば、分析者はサンプルプレート上における標準試料と未知試料の載置位置を直感的に把握することができる。
【００２６】
さらにまた本発明に係る自動分析装置用制御装置において好ましくは、上記開始終了位置認識部は、上記プレート画像上で上記ポインティングデバイスを用いた第１の操作がなされてから、該ポインティングデバイスが移動される間、上記第２の選択部により選択された分析方向に応じて許可され得る範囲以外の位置に該ポインティングデバイスによる指示位置があるときには、分析者によるポインティングデバイスを用いた上記第２の操作を無効扱いとする構成とするとよい。
【００２７】
プレート画像上で開始位置が定まり分析方向が決まっていれば、終了位置を設定可能な範囲は決まる。そこで、開始終了位置認識部は、分析者がポインティングデバイスを移動させたときに、その指示位置が、終了位置を設定可能な範囲以外にあるか否かを判定し、該範囲以外にあるときには、第２の操作を無効とする。これにより、分析対象であるサンプルの範囲を適切に設定することができないような、不適切な操作を受け付けることを防止することができる。
【００２８】
また本発明に係る自動分析装置用制御装置では、上記第２の選択部による分析方向の選択に係る操作と、上記開始終了位置認識部による開始位置及び終了位置の指定に係る操作とは、その操作の順番が入れ替え可能とするとよい。これにより、分析者が分析方向の選択を間違えたときでも、簡単に修正することができる。
【００２９】
また本発明に係る自動分析装置用制御装置では、１枚のサンプルプレート上で複数のサンプルが連続している又はかたまっている領域を指定できるのみならず、所定の操作を行うことにより、不連続なサンプル載置位置を設定できるようにするとよい。
これにより、サンプルプレート上に載置された複数のサンプルに対する、より複雑な順序での分析も簡便な操作で設定可能となる。
【００３０】
また本発明に係る自動分析装置用制御装置では、上記オートサンプラは複数のサンプルプレートの装填が可能であり、
連続分析に使用するサンプルプレートのタイプを分析者が選択するための第４の選択部と、
複数のサンプルプレートがオートサンプラに装填された場合に、その複数のサンプルプレートに割り当てられたサンプルプレート番号により、一つのサンプルプレートを分析者が選択するための第５の選択部と、
をさらに備え、上記表示処理部は、上記第５の選択部により一つのサンプルプレートが選択されたとき、その選択されたサンプルプレートについて上記第４の選択部により選択されたタイプに応じたプレート画像を表示部の画面上に表示する構成とするとよい。
【００３１】
この構成によれば、例えばサンプル載置可能個数が異なる複数のサンプルプレートがオートサンプラに装填された場合でも、分析者は所望のサンプルプレートと同じ形状、同じサンプル載置位置のプレート画像を見ながら、バッチテーブルに設定するサンプルを決める操作を行うことができる。そのため、分析者による誤操作を防止することができる。
【００３２】
なお、第４の選択部によるタイプの選択操作と第５の選択部によるサンプルプレートの選択操作とはその順序を規定せず、任意のタイミングで選択の変更等が行えるようにすると操作性が一層高まる。
【００３３】
また、オートサンプラへ複数のサンプルプレートの装填が可能である場合、上記表示処理部は、前記オートサンプラにおける複数のサンプルプレートの位置とサンプルプレート番号との対応関係を表示部の画面上に表示する構成とするとよい。
この構成によれば、分析者が使用したいサンプルプレートの位置がどのサンプルプレート番号に対応しているのかが分からない場合であっても、表示画面を見ながら目的とするサンプルプレートを容易に選択して設定のための操作を行うことができる。それにより、分析者は使用したいサンプルプレートの位置がどのサンプルプレート番号に対応しているのかをいちいち調べる必要がなくなるとともに、サンプルプレート選択に係る操作ミスを減らすことができる。
【００３４】
また、上記第４の選択部及び第５の選択部における分析者の操作を省くために、オートサンプラに装填されているサンプルプレートのタイプ（種類）と装填位置（サンプルプレート番号）と示す情報をオートサンプラから自動的に収集する構成とすることがさらに好ましい。そのために、本発明に係る自動分析装置用制御装置は、一つ又は複数のサンプルプレートがオートサンプラに装填された場合に、装填されたサンプルプレートの種類及びその装填位置についての情報を該オートサンプラから受け取る情報取得部を備え、上記表示処理部は、該情報取得部により受け取った情報に基づいて、指定されたサンプルプレート番号に対応したプレート画像を表示する構成とするとよい。これにより、オートサンプラに装填された１又は複数のサンプルプレートのタイプや装填位置を分析者がいちいち入力する手間が省けるとともに、人為的な設定間違いを防止することができる。
【発明の効果】
【００３５】
本発明に係る自動分析装置用制御装置によれば、分析者は直感的に理解し易いグラフィカルな簡便な操作によって、様々な順序で以てサンプルプレート上のサンプルを順次選択しつつ分析を行うバッチテーブルを作成したりバッチテーブルを変更したりすることができる。これにより、バッチテーブル作成や変更に伴う分析者の作業負担が軽減され、作業ミスが生じにくくなるとともに作業効率が向上する。
【図面の簡単な説明】
【００３６】
【図１】本発明に係る自動分析装置用制御装置を含むＬＣ分析システムの一実施例の概略構成図。
【図２】本実施例のＬＣ分析システムにおけるバッチテーブル作成用作業画面の一例を示す図。
【図３】本実施例のＬＣ分析システムにおけるバッチテーブル作成用作業手順及び処理手順の一例を示すフローチャート。
【図４】本実施例のＬＣ分析システムにおけるサンプルタイプ及びバイアル設定状態の表示形式の一例を示す図。
【図５】本実施例のＬＣ分析システムにおけるサンプルプレート上の特定位置とその周囲の領域の名称を示す図。
【図６】サンプルプレート上で指定可能な全種類の分析方向を示す図。
【図７】左下原点である場合における開始位置に対する終了位置の設定可否を示す図。
【図８】サンプル範囲指定方法：１次元指定型、分析方向：縦一方向である場合の、開始位置からの有効な及び無効なマウス移動の例を示す図。
【図９】サンプル範囲指定方法：１次元指定型、分析方向：縦双方向である場合の、開始位置からのマウス移動の例を示す図。
【図１０】サンプル範囲指定方法：２次元指定型、分析方向：横双方向である場合の、開始位置からのマウス移動の例を示す図。
【図１１】複数のサンプルプレートが使用される場合においてサンプルプレートが選択されたときのプレート画像表示の一例を示す図。
【図１２】サンプルプレート上で離散的に分析対象領域を設定したときの一例を示す図。
【図１３】バッチテーブルの一例を示す図。
【図１４】サンプルプレートの一例を示す図。
【発明を実施するための形態】
【００３７】
以下、本発明に係る自動分析装置用制御装置を含むＬＣ分析システムの一実施例について、添付図面を参照して説明する。図１は本実施例によるＬＣ分析システムの概略構成図である。
このＬＣ分析システムは、試料溶液中の含有成分（化合物）を時間的に分離して検出する液体クロマトグラフ（ＬＣ部）１と、予め用意された多数のバイアルを一つずつ選択し該バイアル中の試料溶液を所定量採取して液体クロマトグラフ部１へと供給するオートサンプラ２と、これら各部の動作を制御する制御部３と、を備える。
【００３８】
液体クロマトグラフ部１は、移動相が貯留された移動相容器１１と、該移動相容器１１中の移動相を吸引して略一定流速で以て送給する送液ポンプ１２と、移動相中に分析対象である試料溶液を注入するインジェクタ１３と、移動相中に注入された試料溶液に含まれる各種成分を時間方向に分離するカラム１４と、該カラム１４により分離された各種成分を順次検出する検出器１５と、を備える。検出器１５としては、質量分析計、フォトダイオードアレイ（ＰＤＡ）検出器、紫外可視分光光度検出器などを用いることができる。
【００３９】
オートサンプラ２は、それぞれ試料溶液（試料成分を含まない溶媒のみの場合もある）が収容された多数のバイアル２２が載置されるトレイ状のサンプルプレート２１と、該サンプルプレート２１を互いに直交するＸ軸方向、Ｙ軸方向に移動させるプレート駆動部２３と、シリンジやシリンジ昇降機構などを含み、所定の試料吸引位置にあるバイアル２２中の試料溶液を所定量吸引する試料採取部２４と、を備える。この試料採取部２４で採取された試料溶液が液体クロマトグラフ部１のインジェクタ１３へと送られ、移動相中に注入されたり図示しない廃液部へと廃棄されたり（流路等の洗浄を目的とする場合）する。
【００４０】
なお、本実施例におけるオートサンプラ２では、平面上に複数（図１では４個）のサンプルプレートを搭載可能であり、試料採取部２４のシリンジがその複数のサンプルプレートに跨って移動可能となっているが、複数のサンプルプレートを自動的に交換するチェンジャーを有する構成のオートサンプラもある。また、１枚のサンプルプレートのみを搭載可能であるオートサンプラが使用されることもある。
【００４１】
ユーザーインターフェイスとしての操作部４及び表示部５が接続された制御部３は、分析を遂行するために液体クロマトグラフ部１及びオートサンプラ２に制御信号を送る分析制御部３１と、自動分析条件設定処理部３２と、を機能ブロックとして含む。
自動分析条件設定処理部３２は、分析条件入力処理部３２１、分析条件設定画面表示処理部３２２、サンプル数算出部３２３、バッチテーブル作成処理部３２４、バッチテーブル記憶部３２５、を機能ブロックとして含む。制御部３はパーソナルコンピュータをハードウエア資源とし、該コンピュータに予めインストールされた専用の制御用ソフトウエアをコンピュータ上で実行することにより各ブロックの機能が実現される構成とすることができる。
【００４２】
本実施例のＬＣ分析システムでは、図１に示すように、オートサンプラ２に装填されたサンプルプレート２１に用意された多数のバイアル２２中の試料溶液に対する分析を順次自動的に実施することができる。そうした連続分析を行うためには、分析者が、分析順序や分析条件などの制御情報が記述されたバッチテーブルを事前に作成しておく必要がある。また、分析者（オペレータ）は一連の連続分析に必要な試料溶液が収容されたバイアルを、サンプルプレート２１上の適切な位置に載置しておく必要がある。自動分析条件設定処理部３２は、連続分析のためのこうした準備作業を効率よく且つ簡便に行えるようにするために、以下に説明する特徴的な処理及び制御を実施する。
【００４３】
図２は本実施例のＬＣ分析システムにおけるバッチテーブル作成用作業画面の一例を示す図、図３はバッチテーブル作成用作業手順及び処理手順の一例を示すフローチャートである。
分析者が操作部４にてバッチテーブル設定のための所定の操作を行うと、分析条件設定画面表示処理部３２２は図２に示すようなバッチテーブル設定画面１００を表示部５の画面上に表示する。
【００４４】
まず、このバッチテーブル設定画面１００の画面構成について説明する。図２に示すように、バッチテーブル設定画面１００の上部にはバッチ設定部１１０、バッチテーブル設定画面１００の下部にはバッチテーブル表示部１３０が配置され、バッチ設定部１１０とバッチテーブル表示部１３０との間には、バッチ設定部１１０において設定されている内容をすでに作成されているバッチテーブルに追加する、又はバッチテーブルが未作成である場合にはバッチ設定部１１０において設定されている内容のバッチテーブルを作成する指示を行うためのバッチテーブル作成指示ボタン１４０が設けられている。さらに、バッチテーブル表示部１３０の下には、設定されたバッチテーブルに従って分析の実行を指示するためのバッチ分析開始指示ボタン１５０が設けられている。
【００４５】
バッチ設定部１１０中の左側には、バッチテーブルに設定される各種情報をテキスト形式で入力する又はプルダウンリストからの選択により設定するためのテキスト情報入力部１１１が設けられ、バッチ設定部１１０の中の右側には、テキスト情報入力部１１１において入力が可能である情報の多くをグラフィカルな操作により入力するためのグラフィカル情報入力部１１２が設けられている。
このグラフィカル情報入力部１１２には、サンプル範囲指定方法選択ボタン１２０、分析方向選択ボタン１２１、サンプルタイプ選択ボタン１２２、プレートタイプ選択ボックス１２４、プレート画像表示部１２５、サンプルプレート番号選択ボタン１２６などが配置されている。
【００４６】
サンプル範囲指定方法選択ボタン１２０は、それぞれアイコンで示される「１次元指定型」又は「２次元指定型」のいずれかを択一的に選択するボタンである。分析方向選択ボタン１２１はそれぞれアイコンで示される「縦一方向」、「横一方向」、「縦双方向」、「横双方向」のいずれかを択一的に選択するボタンである。サンプルタイプ選択ボタン１２２は、未知試料、標準試料のいずれかを択一的に選択するラジオボタンである。プレートタイプ選択ボックス１２４はサンプルプレートの種類を選択するためのプルダウンリストである。プレート画像表示部１２５はサンプルプレート番号選択ボタン１２６により選択されたサンプルプレートに対応するプレート画像を表示する領域である。サンプルプレート番号選択ボタン１２６はオートサンプラ２に装填された複数のサンプルプレートのうちプレート画像表示部１２５に表示するサンプルプレートを択一的に選択するボタンである。
【００４７】
上述したバッチテーブル設定画面１００が表示されたならば、分析者はまず、使用するサンプルプレートの種類（プレートタイプ）をプレートタイプ選択ボックス１２４において選択し（ステップＳ１）、次いで、その種類のサンプルプレートを用いるサンプルプレート番号をサンプルプレート番号選択ボタン１２６で選択する（ステップＳ２）。分析条件入力処理部３２１はこうした操作を受け付け、サンプルプレート番号とプレートタイプとを対応付ける。プレートタイプ選択ボックス１２４で選択が可能であるサンプルプレートの種類にはそれぞれ、そのサンプルプレートの形状やバイアル載置位置を示すプレート画像が登録されている。そのため、上述したようにサンプルプレート番号とプレートタイプとが対応付けられると、それ以降は、サンプルプレート番号選択ボタン１２６で選択されたサンプルプレートに対応するプレート画像がプレート画像表示部１２５に描出される。なお、この例では、図１４（ａ）に示したタイプのサンプルプレートが使用されるものとしているが、図１４（ｂ）に示したタイプのサンプルプレートが選択されれば、図１４（ｂ）と同様のプレート画像がプレート画像表示部１２５に描出される。
【００４８】
図２の例では、オートサンプラ２に装填された４枚のサンプルプレートのうち、サンプルプレート番号が「１」であるサンプルプレートが選択された状態となっており、そのサンプルプレートに対応付けられたプレートタイプのプレート画像がプレート画像表示部１２５に描出されている。ステップＳ３以降の操作や処理の対象は、このときに選択されているサンプルプレートに関するものである。換言すれば、サンプルプレート番号選択ボタン１２６でサンプルプレートの選択を変更すれば、ステップＳ３以降の操作や処理の対象となるサンプルプレートが変更される。
【００４９】
分析者がサンプル範囲指定方法選択ボタン１２０のいずれかをクリック操作すると、分析条件入力処理部３２１はこの操作を受け付け、サンプル範囲指定方法として、「１次元指定型」、「２次元指定型」のいずれかを選択する（ステップＳ３）。「１次元指定型」とは、サンプルプレート上での分析対象領域が開始位置から終了位置まで線状な範囲となるようにする選択肢である。また「２次元指定型」とは、サンプルプレート上での分析対象領域が開始位置と終了位置とを対角の頂部とする矩形状の範囲となるようにする選択肢である。
【００５０】
次いで、分析者が分析方向選択ボタン１２１のいずれかをクリック操作すると、分析条件入力処理部３２１はこの操作を受け付け、分析方向として、「縦一方向」、「横一方向」、「縦双方向」、「横双方向」のいずれかを選択する（ステップＳ４）。
【００５１】
ここで、分析方向について図６を参照して説明する。図６は考え得るサンプルプレート上の分析方向の全種類を示す図である。分析方向を定める起点として、左下原点、左上原点、右下原点、右上原点の４種類が考えられ、それぞれについて、縦一方向、縦双方向、横一方向、横双方向の４種類が考えられる。
縦一方向及び横一方向とは、サンプルプレート上に設定された所定領域において一つずつ順にバイアルを指定していき、その領域の端部に達したときに折り返すのではなく、その領域内で次の行又は次の列の先頭に移動して同じ方向、つまり一方向に順にバイアルの指定を続ける方法である。一方、縦双方向及び横双方向とは、サンプルプレート上に設定された所定領域において一つずつ順にバイアルを指定していき、その領域の端部に達したときに、その領域内で次の行又は次の列に移動して折り返す、つまり先とは反対方向に順にバイアルの指定を続ける方法である。
【００５２】
考え得る分析方向は図６に示した１６種類であるが、選択肢が多くなりすぎると、分析者に負担を強いることになる。そこで本実施例のＬＣ分析システムでは、分析方向の選択肢の数を絞るため、分析方向を定める起点を「左下原点」にのみ限定している。そのため、実際に選択可能な分析方向は、左下原点の縦一方向、縦双方向、横一方向、横双方向の４種類のみである。もちろん、左上原点、右下原点、右上原点の選択を可能とすることで、上述した全１６種類の分析方向の全てを選択可能としてもよい。また、このように選択肢の数が多い場合には、ボタンによる選択ではなく、プルダウンリストによる選択のほうが便利である。
【００５３】
そのあと、分析者はプレート画像表示部１２５に表示されたプレート画像上でマウス（又は別のポインティングデバイス）による操作を行うことで、分析の開始位置及び終了位置をそれぞれ設定する。具体的には、分析者は、プレート画像表示部１２５に表示されたプレート画像上で開始位置としたいバイアルの上にマウスによる指示位置を置き、マウスボタンを押し下げる操作を行う。すると、この操作を受けた分析条件入力処理部３２１はその押下げ操作がなされたバイアル番号を開始位置として認識する（ステップＳ５）。このとき、既に開始位置・終了位置が設定されているもののバッチテーブルに設定されていない「選択中のバイアル」がある場合には、その設定を解除する。次いで分析者はマウスボタンを押し下げたまま、プレート画像上で終了位置としたいバイアルの上にマウスによる指示位置が来るまでマウスを移動操作する（ステップＳ６）。
【００５４】
上記ステップＳ６の実行中、分析条件入力処理部３２１はリアルタイムでマウスによる指示位置を認識し、その指示位置が、ステップＳ３で選択されたサンプル範囲指定方法及びステップＳ４で選択された分析方向に応じて定まる移動許可範囲にあるか否かを判定し、移動許可範囲にない場合には、マウス操作を無効扱いとする。
【００５５】
図５はサンプルプレート上における特定の位置とその周囲の領域の名称を示す図、図７は左下原点である場合における開始位置に対する終了位置の設定可否を示す図である。図５において中央の位置が開始位置であるとすると、その周囲に、右領域、右上領域、上領域、左上領域、左領域、左下領域、下領域、右下領域という八つの領域が存在するものとみなせる。
例えば、サンプル範囲指定方法として「１次元指定型」が選択され、分析方向として「縦一方向」が選択されている場合、図７から、右領域、右上領域、右下領域、上領域の四つのみが移動許可範囲であり、それ以外の四つの領域は移動禁止範囲であることが分かる。そこで、プレート画像上でマウスによる指示位置が開始位置からみて右領域、右上領域、右下領域、又は上領域のいずれかにあれば、そのときのマウス操作を有効とし、それ以外の領域にある場合にはマウス操作を無効とする。他のサンプル範囲指定方法及び分析方向の場合も同様である。
【００５６】
図８〜図１０に具体例を示す。図８はサンプル範囲指定方法が「１次元指定型」、分析方向が「縦一方向」である場合における、開始位置からの有効な及び無効なマウス移動の例を示す図である。バイアル番号［９］が開始位置であるとき、太実線矢印のようにマウスによる指示位置が移動した場合にはそのマウス操作は有効であり、太点線矢印のようにマウスによる指示位置が移動した場合にはそのマウス操作は無効である。図９はサンプル範囲指定方法が「１次元指定型」、分析方向が「縦双方向」である場合における、開始位置からの有効な及び無効なマウス移動の例を示す図、図１０はサンプル範囲指定方法が「２次元指定型」、分析方向が「横双方向」である場合における、開始位置からの有効な及び無効なマウス移動の例を示す図であり、いずれも図８と同様に、太点線矢印のようにマウスによる指示位置が移動した場合にそのマウス操作は無効である。
【００５７】
また上記ステップＳ６の実行中、分析条件設定画面表示処理部３２２は、リアルタイムで求まるマウスによる指示位置と、ステップＳ３で選択されたサンプル範囲指定方法及びステップＳ４で選択された分析方向とにより、選択中であるバイアルの載置位置の範囲を算出する。そして、マウス操作が有効である場合には、プレート画像上でその範囲に含まれるバイアルの表示色を予め決められた表示色（例えば赤色）に変更する（ステップＳ７）。一方、マウス操作が無効であるとされた場合には、上記のような選択中である旨を示す表示色の変更は行わない。このため、分析者がマウスによる指示位置を適切に移動させると、その指示位置に応じて所定の表示色で以て示されるバイアルの範囲がリアルタイムで変更される。これによって、分析者はどのバイアルが分析対象となるのかを直感的に把握することができる。また、バイアルの表示色が変更されないことで、マウス操作が適切でないことをすぐに把握することができる。
【００５８】
例えば図８の例では、バイアル番号が［９］、［１０］、［１１］、［１２］、［１３］、［１４］、［１５］、［１６］であるバイアルについて選択中である表示がなされている。また図９の例では、バイアル番号が［９］、［１０］、［１１］、［１２］、［１７］、［１８］であるバイアルについて選択中である表示がなされている。さらにまた図１０の例では、バイアル番号が［９］、［１０］、［１１］、［１５］、［１６］、［１７］、［２１］、［２２］、［２３］であるバイアルについて選択中である表示がなされている。なお、図８〜図１０中には、選択中であるバイアルについて、分析が実行される順序を一点鎖線で示している。
【００５９】
上述したように、分析者は開始位置を指示したあとマウスによる指示位置を移動させ、終了位置としたいバイアルの上にマウスによる指示位置がある状態で、マウスボタンの押下げを解除する。すると、この操作を受けた分析条件入力処理部３２１はその押下げ解除操作がなされたバイアル番号を終了位置として認識する（ステップＳ８）。即ち、簡単に言えば、プレート画像上でのマウスによるドラッグ＆ドロップ操作によって、 開始位置と終了位置とを決めることができる。マウス操作が無効とされている場合には、マウスボタンの押下げを解除すると、マウスカーソルの位置によらず、終了位置は開始位置と同じ位置として認識される。以上のようなグラフィカルな操作によって開始位置と終了位置とが確定すると、分析対象となるバイアルの載置位置も決まる。確定した開始位置と終了位置とは、テキスト情報入力部１１１中のバイアル番号開始及び終了の欄に数字で表示される。
【００６０】
また、開始位置及び終了位置が確定すると、プレート画像表示部１２５において表示されているプレート画像で選択中であった各バイアルの表示形式は、選択中である状態から設定済みに変更される。ここでは、図４に示すように、「選択中」であるときには、１個のバイアルを示す円形状領域の中の中央部のみに表示色を与える。また、「設定済み」であるときには、１個のバイアルを示す円形状領域の全体に表示色を与える。これによって、分析者は選択中であるバイアルと設定済みであるバイアルとを容易に識別することができる。
【００６１】
なお、ステップＳ５、Ｓ６、及びＳ８の操作を繰り返し実行することで、複数の分析対象範囲を同時に設定することができる。その際には、例えば、操作部４においてキーボード上のCtrlボタンを押しながらステップＳ５、Ｓ６、及びＳ８の操作を行うようにすればよい。こうした繰り返しの操作によって、例えば図１２に示すように、１枚のサンプルプレート上で離れた位置に、複数の分析対象領域を設定することもできる。
【００６２】
そのあと、サンプル数算出部３２３は、サンプル範囲指定方法の選択情報、分析方向の選択情報、並びに、開始位置及び終了位置を示すバイアル番号の情報とに基づいて、分析するバイアルの個数、つまりはサンプル数を計算する（ステップＳ９）。この計算により求まったサンプル数はテキスト情報入力部１１１中のサンプル本数の欄に数字で表示される。
【００６３】
一方、分析者は、ステップＳ３〜Ｓ８の操作及び処理により確定した分析対象範囲に含まれるバイアル中のサンプルの種類を、サンプルタイプ選択ボタン１２２により選択する（ステップＳ１０）。本実施例では、標準試料と未知試料との選択が可能であり、それらはそれぞれ異なる表示色で表示される。例えば未知試料は赤色、標準試料は緑色で描出される。上述した図４には、表示上での選択中と設定済みとの識別とともに、未知試料と標準試料との識別も示している。このように、プレート画像表示部１２５に表示されたプレート画像においてサンプルタイプの相違も明瞭である。
【００６４】
テキスト情報入力部１１１中の注入回数及び注入量の欄には、デフォルトで数字が表示されるが、これを変更したい場合には分析者がスピンボックス中の矢印をタップ操作したり数値を直接入力したりすればよい。また、分析者はテキスト情報入力部１１１において分析に使用するメソッドファイルを設定し、さらに必要に応じて、サンプル名やサンプルＩＤなどを入力する。
【００６５】
上記のような操作及び処理により、一連の連続分析の条件の設定が終了すると、分析者はバッチテーブル作成指示ボタン１４０をクリックすることでバッチテーブルへの内容追加を指示する（ステップＳ１１）。この指示を受けるとバッチテーブル作成処理部３２４は、バッチ設定部１１０で設定されている分析条件に基づき、一つのバイアル（サンプル）に対する一つの分析を１行としてバッチテーブルへの行の追加を行う（ステップＳ１２）。このとき、バッチテーブル上の各行のバイアル番号欄には、分析対象であるバイアルの番号が自動的に設定される。
【００６６】
こうしてバッチテーブルが完成し、分析者がバッチ分析開始指示ボタン１５０をクリックすると、作成された又は修正されたバッチテーブルはバッチテーブル記憶部３２５に格納される。そして、分析制御部３１は格納されたバッチテーブルに従って液体クロマトグラフ部１及びオートサンプラ２をそれぞれ制御し、連続分析を開始する。
【００６７】
なお、上記操作において、ステップＳ３におけるサンプル範囲指定方法の選択操作はステップＳ４、Ｓ５〜Ｓ８の操作よりも先に行う必要があり、ステップＳ４、Ｓ５〜Ｓ８の操作後にサンプル範囲指定方法の選択を変更した場合には、ステップＳ４、Ｓ５〜Ｓ８の操作をやり直す必要がある。一方、ステップＳ４における操作と、Ｓ５〜Ｓ８における操作とは順序を入れ替えてもよい。Ｓ５〜Ｓ８における操作が終了してサンプル数も算出された後にステップＳ４における操作がやり直されたときには、その変更後の分析方向の選択情報、設定済みである開始位置、及びサンプル本数から、終了位置を再計算する。これにより、分析者はステップＳ４における操作と、ステップＳ５〜Ｓ８における操作との順序を意識することなく簡便に作業を行うことができる。
【００６８】
また、異なるサンプルプレートに載置されているバイアルについての分析条件の設定を行いたい場合には、サンプルプレート番号選択ボタン１２６において所望の番号をクリックすればよい。このとき、サンプルプレート番号選択ボタン１２６における番号は、オートサンプラ２で実際に並んでいるサンプルプレートの位置に対応している。そして、サンプルプレート番号選択ボタン１２６において或る番号が指定されると、サンプルプレート番号選択ボタン１２６上でその番号の位置にプレート画像が表示される（図１１参照）。そのため、分析者は、複数のサンプルプレートの番号と実際に作業しているサンプルプレートとの対応を直感的に把握することができる。
【００６９】
また、サンプルプレート番号選択ボタン１２６によるサンプルプレートの選択、及び、サンプルタイプ選択ボタン１２２によるサンプルタイプの選択をステップＳ１１よりも前の適宜の時点で行うようにフローを変更しても構わない。
ことができる。
【００７０】
また、上記実施例は本発明の一例にすぎず、上記記載以外に、本発明の趣旨に沿った範囲で適宜変形や修正、追加を行っても本願特許請求の範囲に包含されることは明らかである。例えば、上記実施例はＬＣ分析システムであるが、同様のオートサンプラを使用する装置又はシステムであれば、分析の手法はＬＣに限らないことは当然である。
【符号の説明】
【００７１】
１…液体クロマトグラフ部
１１…移動相容器
１２…送液ポンプ
１３…インジェクタ
１４…カラム
１５…検出器
２…オートサンプラ
２１…サンプルプレート
２２…バイアル
２３…プレート駆動部
２４…試料採取部
３…制御部
３１…分析制御部
３２…自動分析条件設定処理部
３２１…分析条件入力処理部
３２２…分析条件設定画面表示処理部
３２３…サンプル数算出部
３２４…バッチテーブル作成処理部
３２５…バッチテーブル記憶部
４…操作部
５…表示部
１００…バッチテーブル設定画面
１１０…バッチ設定部
１１１…テキスト情報入力部
１１２…グラフィカル情報入力部
１２０…サンプル範囲指定方法選択ボタン
１２１…分析方向選択ボタン
１２２…サンプルタイプ選択ボタン
１２４…プレートタイプ設定欄
１２５…プレート画像表示部
１２６…サンプルプレート番号選択ボタン
１３０…バッチテーブル表示部
１４０…バッチテーブル作成指示ボタン
１５０…バッチ分析開始指示ボタン
【図１】
2015190801.tif 000003
【図２】
2015190801.tif 000004
【図３】
2015190801.tif 000005
【図４】
2015190801.tif 000006
【図５】
2015190801.tif 000007
【図６】
2015190801.tif 000008
【図７】
2015190801.tif 000009
【図８】
2015190801.tif 000010
【図９】
2015190801.tif 000011
【図１０】
2015190801.tif 000012
【図１１】
2015190801.tif 000013
【図１２】
2015190801.tif 000014
【図１３】
2015190801.tif 000015
【図１４】
2015190801.tif 000016